(57)【要約】【課題】  落ち葉や枯草等の大形のゴミは基より、小形のゴミや小石等も一度にかき集めるとともに、水面に浮揚するあおさ（青ヌル）等の軟体ゴミを除去することができる熊手を提供すること。【解決手段】  長尺の柄と、柄の先方に形成された、先端を鉤状に曲げた複数の爪部とで構成された熊手において、前記爪部の底面にメッシュ体を装着させたことを特徴とする。  また爪部の先端に、枠体の開孔部から突出する突出部を形成した。【選択図】図１
0003223506.tif 000002
【実用新案登録請求の範囲】
【請求項１】
長尺の柄と、柄の先方に形成された、先端を鉤状に曲げた複数の爪部とで構成された熊手において、前記爪部の底面にメッシュ体を装着させたことを特徴とする熊手。
【請求項２】
前記メッシュ体は、周囲に枠部を形成すると共に、枠部の少なくとも一辺に、複数の開孔部と穿孔した請求項１記載の熊手。
【請求項３】
前記爪部の先端に、枠体の開孔部から突出する突出部を形成した請求項１または２記載の熊手。
【考案の詳細な説明】
【技術分野】
【０００１】  本考案は、大形の落葉や枯れ草はもとより、小形のゴミや小石、さらには、水面上に浮揚する軟体ゴミもかき集めることができる熊手に関する。
【背景技術】
【０００２】  枯れ葉を集めたり、干し草をかき寄せたりする場合、市販の熊手が使用される。一般的な熊手２０は図７に示すように、長尺の柄２２と、柄の先方に形成された、先端を鉤状に曲げた複数の爪部２１とで構成されている。また爪部の任意箇所には、爪の開口状態を調節する爪開口調整具２３が装着されている。【０００３】  また、熊手に関する先行技術として、爪部の先端への回収物の突き刺さり、絡み付きを防止できる先端Ｕ字状の熊手がある（例えば特許文献１参照）。【０００４】  上掲特許文献１の先端Ｕ字状の熊手は、柄と、前記柄の先端に接続する端末部材に一端が連結する複数本の鈎状の金属線を放射状に備えた爪部とからなり、二本の隣り合う前記金属線の先端同士が弧状に連結してＵ字先端部を形成することを特徴としている。
【先行技術文献】
【特許文献】
【０００５】
【特許文献１】実用新案登録第３２０２５６８号公報
【考案の概要】
【考案が解決しようとする課題】
【０００６】  しかしながら、上掲特許文献１の先端Ｕ字状の熊手は、先端が幅広状に形成されているため、落ち葉や枯草等の大形のゴミをかき集めることはできるが、小片状のゴミや小石は除去できないという問題が生じた。また、水面に浮揚する軟体ゴミを取り除くこともできなかった。【０００７】  そこで本考案は上記の点に鑑み、落ち葉や枯草等の大形のゴミは基より、小形のゴミや小石等も一度にかき集めるとともに、水面に浮揚するあおさ（青ヌル）等の軟体ゴミを除去することができる熊手を提供することにある。
【解決を解決するための手段】
【０００８】  上記課題を解決するために、長尺の柄と、柄の先方に形成された、先端を鉤状に曲げた複数の爪部とで構成された熊手において、前記爪部の底面にメッシュ体を装着させたことを特徴とする。
【０００９】  またメッシュ体は、周囲に枠部を形成すると共に、枠部の少なくとも一辺に、複数の開孔部が穿孔されている。
【００１０】  さらに爪部の先端に、枠体の開孔部から突出する突出部を形成した。
【考案の効果】
【００１１】  熊手の爪部の底面にメッシュ体を装着させ、さらに爪部の先端に、枠体の開孔部から突出する突出部を形成したことで、落ち葉や枯草等の大形のゴミはもとより、小形のゴミや小石等も一度にかき集めることができる。また、田んぼの水面に浮揚するあおさ（青ヌル）等の軟体ゴミもメッシュ体で除去することが可能となる。
【図面の簡単な説明】
【００１２】
【図１】本考案の熊手の斜視図である。
【図２】メッシュ体の斜視図である。
【図３】爪部とメッシュ体の側面図である。
【図４】爪部の底面にメッシュ体を装着させた側面図である。
【図５】枯れ葉等をかき集める使用状態の側面図である。
【図６】水面に浮揚する軟体ゴミをかき集める使用状態の側面図である。
【図７】従来の熊手の斜視図である。
【考案を実施するための形態】
【００１３】  本考案の熊手は、落ち葉や枯草等の大形のゴミはもとより、小形のゴミや小石等も一度にかき集めることができ、さらには田んぼの水面に浮揚するあおさ（青ヌル）等の軟体ゴミも除去することを特徴とする。
以下、本考案の熊手の実施の形態を図面に基づいて説明する。
【００１４】  図１に示す熊手１は、長尺の柄２と、柄２の先方に形成された、先端５を鉤状に曲げた鉤部４を備える複数本の爪部３とで構成されている。また爪部３の適宜箇所には、爪部３の開口の開口状態を調節する爪開口調整具６が装着されている。
【００１５】  また特に、本考案の熊手１においては、前記爪部３の底面にメッシュ体１０を装着させたことを特徴とする。図２に示すメッシュ体１０は、金属製または樹脂製の網部１１と、網部１１の周囲を保持する枠部１２とで構成されている。
【００１６】  また前記枠部１２の少なくとも一辺には、複数の開孔部１３が穿孔されている。この開孔部１３は、爪部３の鉤部４を挿入させるもので、鉤部４を等間隔に配列させることができる。また開孔部１３の先方に、鉤部４の先端が突出する突出部７を形成することができる。
【００１７】  前記メッシュ体１０は、開孔１５を有する保持板１４と、メッシュ体１０の下方より挿入されるボルト１６と、前記開孔１５より突出したボルト１６を羅着するナット１７と、からなる装着具１８を使用して前記爪部３の底面に装着される。
【００１８】  次に、前記メッシュ体１０を爪部３の底面に装着する方法を、図３および図４に基づいて説明する。
【００１９】  先ず、メッシュ体１０の開孔部１３に、鉤部４の先端を挿入させる。この際、図４に示すように、先端部を突出させて突出部７を形成する。次に、装着具１８を使用し、メッシュ体１０を爪部３に装着する。
【００２０】  次に、図５および図６に基づいて、本考案の熊手の使用方法を説明する。
図５は、地面上に存在する落ち葉や枯れ葉、また小片状のゴミや小石をかき集める使用状態である。この場合、落ち葉等の大形ゴミａは通常の熊手を使用する状態でかき集められる。
【００２１】  また爪部３を下方に押圧することで、小片状のゴミや小石等の小形ゴミｂは、メッシュ体１０にてかき集められ網部１１で保持される。なお、砂や微小の砂利等は、突出部７間や網部１１をすり抜けるため、作業場の負担にはならない。
【００２２】  図６は、田んぼ等の水面上に浮揚するあおさ（青ヌル）等の軟体ゴミｃをかき集める状態を示す。この場合、爪部３の先端５を水中に入れて手前に引く。すると、水面上に浮揚する軟体ゴミｃは、メッシュ体１０でかき集められ、網部１１で保持される。
【００２３】  なお、メッシュ体１０は着脱自在なので、市販の熊手にも容易に装着することができるとともに、使用目的に応じてメッシュ体１０を取り外すことができ、高い利便性が得られる。
【００２４】  上述の如く本考案の熊手は、落ち葉や枯草等の大形のゴミは基より、小形のゴミや小石等も一度にかき集めることができる。また、田んぼの水面に浮揚するあおさ（青ヌル）等の軟体のゴミを除去することも可能となる
【符号の説明】
【００２５】１    熊手
２    柄
３    爪部
４    鉤部
５    先端
６    爪開口調整具
７    突出部
１０  メッシュ体
１１  網部
１２  枠部
１３  開口部
１４  保持板
１５  開孔
１６  ボルト
１７  ナット
１８  装着具
ａ    大形ゴミ
ｂ    小形ゴミ
ｃ    軟体ゴミ
【図１】
0003223506.tif 000003
【図２】
0003223506.tif 000004
【図３】
0003223506.tif 000005
【図４】
0003223506.tif 000006
【図５】
0003223506.tif 000007
【図６】
0003223506.tif 000008
【図７】
0003223506.tif 000009
【手続補正書】
【提出日】令和1年8月7日(2019.8.7)
【手続補正１】
【補正対象書類名】実用新案登録請求の範囲
【補正対象項目名】全文
【補正方法】変更
【補正の内容】
【実用新案登録請求の範囲】
【請求項１】
長尺の柄と、柄の先方に形成された、先端を鉤状に曲げた複数の爪部とで構成された熊手において、前記爪部の底面にメッシュ体を装着させたことを特徴とする熊手。
【請求項２】
前記メッシュ体は、周囲に枠部を形成すると共に、枠部の少なくとも一辺に、複数の開孔部を穿孔した請求項１記載の熊手。
【請求項３】
前記爪部の先端に、前記枠部の開孔部から突出する突出部を形成した請求項２記載の熊手。